(57)【要約】      （修正有）【課題】レバーを同じ方向に移動することにより、リングの開放と、閉鎖を達成する機構を提供する。【解決手段】レバーアーチ型ファイル機構１００は、基材１０２と、少なくとも２つのリングと、レバー組立体とを備えている。リングは、基材に固定されたポスト部材、及び、ポスト部材に対して移動可能なアーチ部材１０６を有するとともに、基材を基端として外方に延び、用紙の孔と係合するように構成されている。レバー組立体はアーチ部材をポスト部材に対して回転させて、リングが閉じた閉鎖位置、又はリングが開いた開放位置となるように操作することができる。レバー組立体のレバー部材１１８が第１ポジションＪから第２ポジションＫに向かって第１方向に回転すると、リングがリング閉鎖配置からリング開放配置に動く。また、第２ポジションから第３位置Ｌに向かって第１方向に回転すると、リングがリング開放配置からリング閉鎖配置に動く。【選択図】図６
2009040030.tif 000002
【特許請求の範囲】
【請求項１】
レバーアーチ型ファイル機構（１００、２００、３００）であって、
基材（１０２、２０２、３０２）と、
前記基材に固定されたポスト部材（１０４、２０４、３０４）、及び、前記ポスト部材に対して移動可能なアーチ部材（１０６、２０６、３０６）を有するとともに、前記基材を基端として外方に延び、用紙の孔と係合するように構成された少なくとも２つのリングと、
前記アーチ部材を前記ポスト部材に対して回転させて、前記リングが閉じた閉鎖位置、又は、前記リングが開いた開放位置となるように操作できるレバー組立体（１１６、２１６、３１６）とを備えており、
前記レバー組立体のレバー部材（１１８、２１８、３１８）が第１ポジション（Ｊ）から第２ポジション（Ｋ）に向かって第１方向に回転すると、前記リングが前記リング開放配置から前記リング閉鎖配置に動くとともに、前記第２ポジションから前記第３位置（Ｌ）に向かって前記第１方向に回転すると、前記リングが前記リング開放配置から前記リング閉鎖配置に動くように構成されていることを特徴とする、機構。
【請求項２】
前記レバー部材が、前記基材に対して固定された軸（Ｖ−Ｖ、Ｆ−Ｆ）を中心として、第１ポジション、第２ポジションおよび第３位置の間を回転できるように構成されていることを特徴とする、請求項１記載の機構。
【請求項３】
前記リングが前記リング開放配置の状態で、前記レバー部材が前記第２ポジションから前記第１ポジションへ移動しても、前記リングは前記リング開放配置のまま留まるように構成されていることを特徴とする、請求項１または２記載の機構。
【請求項４】
前記リングが前記リング閉鎖配置の状態で、前記レバー部材の前記第３位置から前記第１ポジションへ移動しても、前記リングは前記リング閉鎖配置にまま留まるように構成されていることをさらに特徴する、請求項１乃至３のうちのいずれか一の項に記載の機構。
【請求項５】
前記レバー部材が前記第１ポジションの方向に付勢されるように構成されていることを特徴とする、請求項３または４記載の機構。
【請求項６】
前記レバー部材が、前記第１ポジションの方向にバネにより付勢されるように構成されていることを特徴とする、請求項５記載の機構。
【請求項７】
前記レバー組立体の前記レバー部材が前記第１ポジションにあるとき、前記レバー部材が前記第１方向とは反対の方向に向かって回転しないように、前記レバー部材が前記基材と係合する直進部分（３２０）を有していることを特徴とする、請求項１乃至６のうちいずれか一の項に記載の機構。
【請求項８】
基材（１０２、２０２）と、
前記基材に固定されたポスト部材（１０４、２０４）、及び、前記ポスト部材に対して移動可能なアーチ部材（１０６、２０６）を有するとともに、前記基材を基端として外方に延び、用紙の孔と係合するように構成された少なくとも２つのリングと、
前記アーチ部材を前記ポスト部材に対して回転させて、前記リングが閉じた閉鎖位置、又は、前記リングが開いた開放位置となるように操作できるレバー組立体（１１６、２１６）とを備え、
前記レバー組立体のレバー部材（１１８、２１８）が、第１方向に回転すると、前記リングが前記リング閉鎖配置から前記リング開放配置に移動するように構成されているレバーアーチ型ファイル機構（１００、２００）であって、
前記レバー部材が、前記第１方向と逆方向である第２方向に回転すると、前記リングが前記リング閉鎖配置から前記リング開放配置に移動するように構成されていることを特徴とする、機構。
【請求項９】
前記レバー部材が、第１ポジション（Ｊ）から第２ポジション（Ｋ）に向かう前記第１方向に回転すると、前記リングが前記リング閉鎖配置から前記リング開放配置に移動するように構成されていることを特徴とする、請求項８記載の機構。
【請求項１０】
前記リングが前記開放配置の状態で、前記レバー部材が前記第２ポジションから前記第１ポジションへ移動しても、前記リングは前記リング開放配置のまま留まるように構成されていることを特徴とする、請求項９記載の機構。
【請求項１１】
前記レバー部材が、第１ポジションから第３位置まで前記第２方向に回転すると、前記リングが前記リング閉鎖配置から前記リング開放配置に移動するように構成されていることを特徴とする、請求項８乃至１０のうちいずれか一の項に記載の機構。
【請求項１２】
前記リングが前記開放配置の状態で、前記前記レバー部材が前記第３位置から前記第１ポジションへの移動しても、前記リングは前記リング開放配置のまま留まるように構成されていることを特徴とする、請求項１１記載の機構。
【請求項１３】
基材（１０２、２０２）と、
前記基材に固定されたポスト部材（１０４、２０４）、及び、前記ポスト部材に対して移動可能なアーチ部材（１０６、２０６）を有するとともに、前記基材を基端として外方に延び、用紙の孔と係合するように構成された少なくとも２つのリングと、
前記アーチ部材を前記ポスト部材に対して回転させて、前記リングが閉じた閉鎖位置、又は、前記リングが開いた開放位置となるように操作できるレバー組立体（１１６、２１６）とを備え、
前記レバー組立体が、相互に係合されているレバー部材（１１８、２１８）および第１リンク部材（１４４、２２４）を有しており、
前記第１リンク部材が、前記アーチ部材と連結するクランク部（１１０、２１０）上を移動可能なローラ部材（１６４、２５４）を保持しており、
前記第１リンク部材が、第１ポジションから第２ポジションまで軸（Ｄ−Ｄ、Ｍ−Ｍ）を中心に回転することで、前記リングを前記リング閉鎖配置から前記リング開放配置まで移動するように構成されているレバーアーチ型ファイル機構（１００、２００）であって、
前記レバー部材が第１方向に回転すると、前記軸と前記基材との間にある前記第１リンク部材上の第１ポイントに力が付与され、前記第１リンク部材を前記第１ポジションから前記第２ポジションに移動させるように構成されており、
前記レバー部材が前記第１方向とは逆の第２方向に回転すると、前記軸および前記基材から離れた前記第１リンク部材上の第２ポイントに力が付与され、前記第１リンク部材を前記第１ポジションから前記第２ポジションに移動させるように構成されていることを特徴とする、機構。
【請求項１４】
前記軸が前記基材に対して固定されていることを特徴とする、請求項１３記載の機構。
【請求項１５】
前記レバー部材が、第２リンク部材（１３６、１４６、２２２）を介して、前記第１リンク部材の前記第１ポイントと接続されていることを特徴とする、請求項１３または１４記載の機構。
【請求項１６】
前記レバー部材が前記基材に向かって回転することで、前記第２リンク部材に前記第１ポイント上に引き寄せ力を付与させ、前記第１リンク部材を前記第１ポジションから前記第２ポジションまで移動させるように構成されていることを特徴とする、請求項１５記載の機構。
【請求項１７】
前記レバー部材が、第３リンク部材（１３２、１４０、２２０）を介して、前記第１リンク部材の前記第２ポイントに接続されることを特徴とする、請求項１３乃至１６のうちいずれか一の項に記載の機構。
【請求項１８】
前記第３リンク部材が、前記第１リンク部材に対して摺動するように構成されていることを特徴とする、請求項１７記載の機構。
【請求項１９】
前記第３リンク部材が、前記第１リンク部材の突起部（２４４）と摺動可能に係合するスロット（２４２）を有することを特徴とする、請求項１８記載の機構。
【請求項２０】
前記レバー部材が前記基材から離れるように回転することで、前記第３リンク部材に前記第２ポイント上に押す力が付与され、前記第１リンク部材を前記第１ポジションから前記第２ポジションまで移動させるように構成されていることを特徴とする、請求項１７乃至１９のうちいずれか一の項に記載の機構。
【請求項２１】
基材（１０２、２０２、３０２）と、
前記基材に固定されたポスト部材（１０４、２０４、３０４）、及び、前記ポスト部材に対して移動可能なアーチ部材（１０６、２０６、３０６）を有するとともに、前記基材を基端として外方に延び、用紙の孔と係合するように構成された少なくとも２つのリングと、
前記アーチ部材を前記ポスト部材に対して回転させて、前記リングが閉じた閉鎖位置、又は、前記リングが開いた開放位置となるように操作できるレバー組立体（１１６、２１６、３１６）とを備え、
前記レバー組立体が、少なくともレバー部材（１１８、２１８、３１８）と、第１リンク部材（１２２、２２２）と、第２リンク部材（１３６、２２４）とを有するレバーアーチ型ファイル機構（１００、２００、３００）であって、
前記レバー部材が前記第１リンク部材を保持し、前記第１リンク部材が前記第２リンク部材と着脱可能に係合していることを特徴とする、機構。
【請求項２２】
前記リングが前記リング閉鎖配置の状態におかれているとき、前記第１リンク部材が前記第２リンク部材から離脱した状態にあることを特徴とする、請求項２１記載の機構。
【請求項２３】
前記レバー部材が第１方向に回転することで、前記第１リンク部材が前記第２リンク部材に着脱可能に係合し、同時に前記第２リンク部材がある角度だけ回転運動して、前記機構が前記リング閉鎖配置から前記リング開放配置まで移動するように構成されていることを特徴とする、請求項２１または２２記載の機構。
【請求項２４】
前記レバー部材および前記第２リンク部材が、共通の軸（Ｖ−Ｖ）を中心として回転可能となるように構成されていることを特徴とする、請求項２３記載の機構。
【請求項２５】
前記共通の軸が前記基材に対して固定されるように構成されていることを特徴とする、請求項２４記載の機構。
【請求項２６】
前記リングが前記リング開放配置にあるとき、前記第１リンク部材が前記第２リンク部材から離脱した状態におかれていることを特徴とする、請求項２３乃至２５のうちいずれか一の項に記載の機構。
【請求項２７】
前記レバー部材が湾曲端部を有しており、前記湾曲端部は前記レバー部材が前記角度を越えて前記第１方向へさらに回転するときに前記基材上を摺動することを特徴とする、請求項２３乃至２６のうちのいずれか１つに記載の機構。
【請求項２８】
前記第１リンク部材が、第１ポジションと第２ポジションとの間を前記レバー部材に対して回転移動可能であるように構成されていることを特徴とする、請求項２１乃至２７のうちのいずれか１つに記載の機構。
【請求項２９】
前記第１リンク部材が、前記第１ポジションの方向にバネにより付勢されるように構成されていることを特徴とする請求項２８記載の機構。
【請求項３０】
前記リングが前記リング閉鎖配置状態におかれているとき、前記第１リンク部材が、前記第２リンク部材と着脱可能に係合されていることを特徴とする、請求項２１記載の機構。
【請求項３１】
前記第１リンク部材が、第１ポジションと第２ポジションとの間を前記レバー部材に対して回転移動可能であるように構成されていることを特徴とする、請求項３０記載の機構。
【請求項３２】
前記第１リンク部材が、前記第１ポジションの方向にバネにより付勢されるように構成されていることを特徴とする、請求項３１記載の機構。
【請求項３３】
前記レバー部材は、前記第１リンク部材が前記第１ポジションを越えて回転しないようにする停止部（２３８）を有することを特徴とする、請求項３２記載の機構。
【請求項３４】
請求項１乃至３３のうちのいずれかに記載のレバーアーチ型ファイル機構を備えた用紙保持装置。
【請求項３５】
前記装置が、前記レバーアーチ型ファイル機構を固定している基板を備えていることを特徴とする、請求項３３記載の用紙保持装置。
【請求項３６】
前記装置がレバーアーチ型ファイルであることを特徴とする、請求項３５記載の用紙保持装置。
【発明の詳細な説明】
【技術分野】
【０００１】
本発明は、孔の開いた用紙を保持するためのレバーアーチ型ファイル機構に関する。特に、厚紙カバーのような基板に固定して、レバーアーチ型ファイルのような用紙保持装置を構成する機構に関する。
【背景技術】
【０００２】
従来のレバーアーチ型ファイル機構は、回転可能な片腕レバーを備えている。この片腕レバーを操作することで、アーチ部材が固定ポストに対して回転してリングが開き、穴を有する用紙をファイル機構から取り出すかまたはファイル機構に挿入することができる。さらに、ポスト部材およびアーチ部材を閉じて一対の閉鎖リングを形成し、その中に用紙を保管することができる。アーチ部材は中間クランクに連結されており、レバーに取り付けられているローラが中間クランク上を移動することにより、リング対を開閉または閉鎖することができる。このような従来型のファイル機構を操作するとき、ポスト部材とアーチ部材とから構成されたリングを閉じるにはレバーを下方に回転させ、リングを開くには上方に回転させる必要がある。
【発明の開示】
【発明が解決しようとする課題】
【０００３】
このような従来型のファイル機構は、リングの開放と、その後の閉鎖を達成するために、レバーを異なる方向に移動しなければならず、使用にあって便利なものとはいえなかった。また、リング閉鎖位置から同じ方向にレバーを移動させることによってしかリングを開くことができなかった。
【課題を解決するための手段】
【０００４】
したがって、本発明の目的は、上記の欠点を軽減したレバーアーチ型ファイル機構およびこのような機構を有した用紙保持装置を提供し、少なくとも公衆に対して有用な代替品を提供することにある。
【０００５】
本発明の第１態様によれば、レバーアーチ型ファイル機構は、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備えており、前記レバー組立体のレバー部材が第１ポジションから第２ポジションに向かって第１方向に回転すると、前記リングが前記リング開放配置から前記リング閉鎖配置に動くとともに、前記第２ポジションから前記第３位置に向かって前記第１方向に回転すると、前記リングが前記リング開放配置から前記リング閉鎖配置に動くように構成されていることを特徴とする。
【０００６】
本発明の第２態様によれば、レバーアーチ型ファイル機構は、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備え、前記レバー組立体のレバー部材が、第１方向に回転すると、前記リングが前記リング閉鎖配置から前記リング開放配置に移動するように構成されているレバーアーチ型ファイル機構であって、前記レバー部材が、前記第１方向と逆方向である第２方向に回転すると、前記リングが前記リング閉鎖配置から前記リング開放配置に移動するように構成されていることを特徴とする。
【０００７】
本発明の第３態様によれば、レバーアーチ型ファイル機構が、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備え、前記レバー組立体が、相互に係合されているレバー部材および第１リンク部材を有しており、前記第１リンク部材が、前記アーチ部材と連結するクランク部上を移動可能なローラ部材を保持しており、前記第１リンク部材が、第１ポジションから第２ポジションまで軸を中心に回転することで、前記リングを前記リング閉鎖配置から前記リング開放配置まで移動するように構成されているレバーアーチ型ファイル機構であって、前記レバー部材が第１方向に回転すると、前記軸と前記基材との間にある前記第１リンク部材上の第１ポイントに力が付与され、前記第１リンク部材を前記第１ポジションから前記第２ポジションに移動させるように構成されており、前記レバー部材が前記第１方向とは逆の第２方向に回転すると、前記軸および前記基材から離れた前記第１リンク部材上の第２ポイントに力が付与され、前記第１リンク部材を前記第１ポジションから前記第２ポジションに移動させるように構成されていることを特徴とする。
【０００８】
本発明の第四の態様によれば、レバーアーチ型ファイル機構は、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備え、前記レバー組立体が、少なくともレバー部材と、第１リンク部材と、第２リンク部材とを有するレバーアーチ型ファイル機構であって、前記レバー部材が前記第１リンク部材を保持し、前記第１リンク部材が前記第２リンク部材と着脱可能に係合していることを特徴とする。
【０００９】
本発明の第五の態様によれば、用紙保持装置は、レバーアーチ型ファイル機構を備え、該レバーアーチ型ファイル機構が、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備えており、前記レバー組立体のレバー部材が第１ポジションから第２ポジションに向かって第１方向に回転すると、前記リングが前記リング開放配置から前記リング閉鎖配置に動くとともに、前記第２ポジションから前記第３位置に向かって前記第１方向に回転すると、前記リングが前記リング開放配置から前記リング閉鎖配置に動くように構成されていることを特徴とする。
【００１０】
本発明の第六の態様によれば、用紙保持装置は、レバーアーチ型ファイル機構を備え、該レバーアーチ型ファイル機構が、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備え、前記レバー組立体のレバー部材が、第１方向に回転すると、前記リングが前記リング閉鎖配置から前記リング開放配置に移動するように構成されているレバーアーチ型ファイル機構であって、前記レバー部材が、前記第１方向と逆方向である第２方向に回転すると、前記リングが前記リング閉鎖配置から前記リング開放配置に移動するように構成されていることを特徴とする。
【００１１】
本発明の第七の態様によれば、用紙保持装置は、レバーアーチ型ファイル機構を備え、該レバーアーチ型ファイル機構が、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備え、前記レバー組立体が、相互に係合されているレバー部材および第１リンク部材を有しており、前記第１リンク部材が、前記アーチ部材と連結するクランク部上を移動可能なローラ部材を保持しており、前記第１リンク部材が、第１ポジションから第２ポジションまで軸を中心に回転することで、前記リングを前記リング閉鎖配置から前記リング開放配置まで移動するように構成されているレバーアーチ型ファイル機構であって、前記レバー部材が第１方向に回転すると、前記軸と前記基材との間にある前記第１リンク部材上の第１ポイントに力が付与され、前記第１リンク部材を前記第１ポジションから前記第２ポジションに移動させるように構成されており、前記レバー部材が前記第１方向とは逆の第２方向に回転すると、前記軸および前記基材から離れた前記第１リンク部材上の第２ポイントに力が付与され、前記第１リンク部材を前記第１ポジションから前記第２ポジションに移動させるように構成されていることを特徴とする。
【００１２】
本発明の第八の態様によれば、用紙保持装置は、レバーアーチ型ファイル機構を備え、該レバーアーチ型ファイル機構が、基材と、前記基材に固定されたポスト部材、及び、前記ポスト部材に対して移動可能なアーチ部材を有するとともに、前記基材を基端として外方に延び、用紙の孔と係合するように構成された少なくとも２つのリングと、前記アーチ部材を前記ポスト部材に対して回転させて、前記リングが閉じた閉鎖位置、又は、前記リングが開いた開放位置となるように操作できるレバー組立体とを備え、前記レバー組立体が、少なくともレバー部材と、第１リンク部材と、第２リンク部材とを有するレバーアーチ型ファイル機構であって、前記レバー部材が前記第１リンク部材を保持し、前記第１リンク部材が前記第２リンク部材と着脱可能に係合していることを特徴とする。
【００１３】
ここで、例示のみを目的として、本発明の実施形態を添付の図面を参照して記載する。
【発明を実施するための最良の形態】
【００１４】
図１〜図５は、本発明の第１実施形態にかかるレバーアーチ型ファイル機構を示した図である。こられの図においけるレバーアーチ型ファイル機構は、安定なリング閉鎖配置の状態にあり、全体が符号１００により表されている。
【００１５】
図２に示すように、機構１００は、金属板からなる基材１０２を備えている。基材１０２には２つのポスト部材１０４が固定されており、また、基材１０２近傍の一対のクランプ１０８によって２つのアーチ部材１０６が保持されている。そのため、アーチ部材１０６は、軸Ｔ−Ｔを中心として基材１０２およびポスト部材１０４に対して回転することができる。２つのアーチ部材１０６は、クランク部１１０を介して相互に連結されている。このクランク部１１０はアーチ部材１０６に固定されて一体的に形成されている。かかる構成により、クランク部１１０を回転させることで、同時にアーチ部材１０６を第１ポジションと第２ポジションとの間で回転運動させることができる。上記の第１ポジションとは、アーチ部材１０６の自由端部がポスト部材１０４の自由端部に当接して（図１〜図５に記載のように）基材から上方に向かって延びる二つのリングが形成（「リング閉鎖位置」）されて孔を有する用紙の束を保持できる位置であり、第２ポジションとは、アーチ部材１０６の自由端部がポスト部材１０４の自由端部から離脱して二つのリングが開放（「リング開放配置」）されて孔を有する用紙の束をポスト部材１０４および／もしくはアーチ部材１０６から取り出すまたはその中に挿入できる位置である。
【００１６】
クランク部１１０の下には、クランク部１１０に対して下方から上方に向かって作用するバネ板１１２が設けられている。これにより、バネ板１１２は、クランク部１１０を介して、アーチ部材１０６をポスト部材１０４から離れる方向（すなわちリング開放配置に向かう方向）に回転するよう付勢している。図３に示すように、金属板１１４は、基材１０２からおおむね上方に向かって延びている。プレート１１４は、基材１０２と一体式に形成され、たとえば基材１０２を作るのと同一の金属板を打ち抜いて作るようにしてもよい。
【００１７】
機構１００は、全体が符号１１６により表されたレバー組立体を備えている（図１６及び１７を参照）。レバー組立体１１６は、自由端部１２０を有したレバー１１８を備えており、このレバー１１８は、手動操作により、基材１０２に対して上方または下方に回転させることができる。図１〜５では、レバー１１８は安定な位置におかれている。
【００１８】
図１〜５及び図１６〜１７によれば、レバー１１８がリンク１２２を支えていることを理解することができる。具体的には、図１７に示すように、リンク１２２は、リベット１２４を介してレバー１１８と係合し、軸Ｓ−Ｓを中心として相対的に回転運動できるようになっている。図３、５、及び１６に示されているように、リンク１２２はバネ１２６によってレバー１１８と相対運動するように付勢されている。
【００１９】
また、レバー１１８は、リベット１２８を介してリンク１３２と係合している。リベット１２８は、一部がリンク１３２のスロット１３０内に受け入れられることにより、スロット１３０に沿って往復運動することができる。レバー１１８は、その端部において、リベット１３４を介してリンク１３２およびリンク１３６と係合している。これにより、レバー１１８、リンク１３２およびリンク１３６のすべてが、図１７に示す軸Ｖ−Ｖを中心として回転することができる。なお、図１〜５から明らかなように、軸Ｖ−Ｖは、基材１０２に対して固定されている。
【００２０】
リンク１３２は、リベット１３８を介してリンク１４０の第１端部と係合し、図１７に示す軸Ｗ−Ｗを中心として相対的に回転運動できるようになっている。リンク１４０の第２端部は、リベット１４２を介してリンク１４４の裏面と係合し、軸Ｐ−Ｐを中心として相対的に回転運動できるようになっている。このようにして、レバー１１８は、リンク１３２、１４０を介してリンク１４４の裏面と間接的に接続し、係合している。
【００２１】
また、リンク１３６は、リベット１４８を介してリンク１４６の第１端部と係合し、軸Ｂ−Ｂを中心として相対的に回転運動できるようになっている。リンク１４６の第２端部は、リベット１５０を介してリンク１４４の表面と係合し、軸Ｃ−Ｃを中心として相対的に回転できるようになっている。このようにして、レバー１１８は、リンク１３６、１４６を介してリンク１４４の表面と間接的に接続し、係合している。
【００２２】
リンク１４４は、孔１５２を備えている。この孔１５２は、図５に示すようにリベット１５４を介してプレート１１４の孔（図示せず）と係合している。これにより、リンク１４４は、図１７に示す軸Ｄ−Ｄを中心としてプレート１１４に対して回転することができる。なお、プレート１１４が基材１０２に対して固定されてため、軸Ｄ−Ｄも基材１０２に対して固定されていることになる。図１７等から明らかなように、軸Ｐ−Ｐ、Ｄ−Ｄ、Ｃ−Ｃ、Ｗ−Ｗ、Ｂ−Ｂ、Ｖ−ＶおよびＳ−Ｓは、すべて互いに平行になっているとともに、図２に示す軸Ｔ−Ｔに対して垂直になっている。基材１０２に対して固定されている軸Ｖ−ＶおよびＤ−Ｄについていえば、基材と軸Ｄ−Ｄとの間の距離は、基材１０２と軸Ｖ−Ｖとの間の距離よりも長くなっている。
【００２３】
また、図１７に示すように、バネ１５６がリベット１３４を介してリンク１３２と係合することにより、バネ１５６の第１自由端部１５８がリベット１２８に対して下から作用し、バネ１５６の第２自由端部１６０が基材１０２に作用するようになっている。かかる構成により、バネ１５６は、スロット１３０の上端部側に向かってリベット１２８を付勢することになる。
【００２４】
リンク１４４は孔１６２を備えている。この孔１６２は、これを中心としてリンク１４４に対して自由に回転するローラ１６４と係合している。図１及び４から明らかなように、リング閉鎖配置の状態におかれている場合、ローラ１６４は、バネ板１１２の上向きの付勢力に対抗して上方からクランク部１１０に作用している。これにより、機構１００のリング閉鎖状態が維持される。
【００２５】
ここで図６を参照すると、レバー１１８は、基材１０２に対して回転できるようになっており、リングを開くために符号「Ｊ」が付された通常の安定位置（「Ｊ位置」）から符号「Ｋ」が付された中間位置（「Ｋ位置」）まで回転し、次いで、リングを閉じるために、符号「Ｌ」が付された最下側位置（「Ｌ位置」）まで回転できるようになっている。
【００２６】
通常の安定なＪ位置を起点にして、Ｊ位置からＫ位置までの角度を通してレバー１１８が下方（すなわち、図６の矢印Ｚにより示されている方向）に向かって回転移動すると、リンク１２２（図５参照）は、レバー１１８の延長部１６６によって運ばれ、固定軸Ｖ−Ｖ（図１７参照）を中心に回転する。そしてリンク１３６と係合して、リンク１３６を押すことにより軸Ｖ−Ｖを中心に下方に回転する。リンク１３６がこのように回転すると、リンク１４４はリンク１４６と接する点で（この点は基材１０２と固定軸Ｄ−Ｄとの間にある）引かれ、矢印Ｚの方向とは反対の方向に固定軸Ｄ−Ｄを中心として回転する。これによって、ローラ１６４がクランク部１１０側と反対の方向に移動することになる。そうすると、バネ板１１２は上方に曲げられ、クランク部１１０が軸Ｔ−Ｔ（図２参照）を中心として回転する。これによりアーチ部材１０６がポスト部材１０４側と反対の方向に回転すると、機構１００はリング閉鎖配置からリング解放配置へ移動する。
【００２７】
この地点で、レバー１１８（たとえば、自由端部１２０）にかかる下方向の押圧力が解放されると、機構１００がリング閉鎖配置に戻ることがないまま、バネ１５６によって、レバー１１８はＫ位置からＪ位置へ移動する。つまり、機構１００は、図７〜１１に示すようなリング開放配置のままである。図から明らかなように、この安定なリング開放配置では、リンク１２２の延長部１６６（図６参照）は、レバー１１８の上端部に位置し、リンク１３６から離脱した状態にある。このように、リンク１２２とリンク１３６との係合は着脱可能に構成されている。
【００２８】
レバー１１８がＪ位置からＫ位置に回転して機構１００をリング開放配置へ移動させた後、さらにレバー１１８が矢印Ｚにより示された方向であるＬ位置に向かって回転すると、リンク１２２（図１０参照）の下側の湾曲端部は、図１７に示す軸Ｓ−Ｓを中心として回転して基材１０２上を摺動することになる。レバー１１８がＫ位置にあるときリンク１２２がリンク１３６（図９参照）と離脱した状態にあるので、軸Ｖ−Ｖを中心としてＫ位置からＬ位置までレバー１１８をさらに下方に向けて回転運動させたとしても、それに対応するリンク１３６の移動は引き起こされない。その一方、レバー１１８をさらに下方へ回転させると、リンク１４０を引き寄せ、次いで、リンク１４０がリンク１４４と接続されている部分（この部分は基材１０２および固定軸Ｄ−Ｄを越えたところにある）で引っ張られる。これにより、リンク１４４は、軸Ｄ−Ｄを中心として、図６の矢印Ｚの方向に回転し、図１２、１３および１５に示されているような位置までローラ１６４を戻すことになる。ローラ１６４の復帰移動中に、ローラ１６４は、クランク部分１１０を押圧して、バネ板１１２の上向きの付勢力に対抗して図１２〜１５に示されている位置にアーチ部材１０６を回転し、リングをリング閉鎖配置に戻す。次いでレバー１１８上の下方に向かう押圧力が解放されると、レバー１１８はバネ１５６によりＪ位置に戻され、その結果、機構１００は図１に示されているようなリング閉鎖配置を取ることになる。
【００２９】
図６をさらに参照すると、レバー１１８は、Ｊ位置から上方に（すなわち、矢印Ｚによって示されている方向とは反対の方向に）回転することで、機構１００をリング閉鎖配置からリング開放配置に移動させることができる。レバー１１８がＪ位置から上方に向かって回転すると、図５に示すように、リベット１２８がリンク１３２（図１７参照）のスロット１３０の上側位置にすでにあるため、リンク１３２は、軸Ｖ−Ｖを中心として回転して、矢印Ｚと反対の方向に回転する。これにより、リンク１４０が押されると、さらにリンク１４０がリンク１４４を押して、リンク１４４が矢印Ｚと反対の方向に回転する。よって、機構１００はリング閉鎖配置からリング開放配置へ移動する。レバー１１８にかかっていた力が解放されと、レバー１１８は下方に移動してＪ位置に戻ることになる。
【００３０】
このようなレバーアーチ型ファイル機構１００を（例えばリベットによって）、基板（例えば厚紙カバー）に固定することにより、用紙保持装置（例えばレバーアーチ型ファイル）を形成すすることが可能である。
【００３１】
図ｌ８〜図２２には、安定なリング閉鎖配置の状態におかれている、本発明の第２実施形態にかかるレバーアーチ型ファイル機構のさまざまな図が示されており、その全体が符号２００で表されている。
【００３２】
機構２００の基本構造は、上述の機構１００の基本構造におおむね類似している。機構２００は、２つのポスト部材２０４が固定された基材２０２を備えている。２つのアーチ部材２０６とクランク部２１０は、連結されて一体的に形成されており、ポスト部材２０４に対して同時に回転運動するようになっている。
【００３３】
図３３及び３４に示すように、この機構２００と上述の機構１００との間の主要な差はレバー組立体２１６にある。このレバー組立体２１６は、１つのレバー２１８と、相互に接続された３つのリンク２２０、２２２、２２４とを備えている。さらに詳細にいえば、金属からなるレバー２１８の自由端部２２６には、使用時における快適性を向上させるための親指パッド２２８（これはプラスチック製である）が設けられている。
【００３４】
レバー２１８は、リベット２３０を介して、基材２０２に対して固定である軸Ｆ−Ｆを中心に回転できるように連結されている。また、バネ２３２も、リベット２３０を介して、レバー２１８および基材２０２に作用するように連結されている。また、レバー２１８は、リベット２３４を介してバネ２３６およびリンク２２２とも係合しており、リンク２２２は、軸Ｇ−Ｇ（レバー２１８とともに移動する）を中心にしてレバー２１８に対して回転することができる。バネ２３６は、レバー２１８およびリンク２２２上に作用することで、リンク２２２をレバー２１８の横方向に延びる停止部２３８に付勢させている。
【００３５】
また、レバー２１８は、リベット２４０を介してリンク２２０に係合し、これらは軸Ｈ−Ｈ（レバー２１８と共に移動する）を中心にして相対的に回転運動することができる。リンク２２０は、スロット２４２を有しており、このスロット２４２に係合するリベット２４４を介してリンク２２４と係合している。これにより、リンク２２０とリンク２２４とは、相対的に回転運動することができ、また、摺動運動することができる。スタッド２４６は、リンク２２４に固定されており、以下の方法でリンク２２２と着脱可能に係合することができる。つまり、リンク２２４は孔２４８を有しており、この孔２４８は、リベット２４９を介して、プレート２５０（図２５参照）と係合する。このプレート２５０は、基材２０２と一体的に形成されて基材２０２に固定されている。そのため、リンク２２４は、基材２０２に対して軸Ｍ−Ｍを中心にして回転運動することができる。
【００３６】
図１８〜２２から明らかなように、レバーアーチ型ファイル機構２００が安定なリング閉鎖配置の状態にあるとき、リベット２４４（図３４参照）は、スロット２４２のレバー２１８に近い側の端部に隣接している。さらに、リンク２２２（図３４参照）の部分２５２は、リンク２２４に固定されたスタッド２４６と係合している。
【００３７】
図１８〜２２に示されているような位置から、レバー２１８は、基材２０２に対して上方に、すなわち図１８（ａ）の矢印Ｎにより示されている方向に回転することができる。この方向に回転すると、リンク２２０は、基材２０２および軸Ｍ−Ｍ（図３４参照）を越えたあるポイントまでリンク２２４を押し、軸Ｍ−Ｍを中心にして矢印Nと同一の方向に回転することになる。これにより、リンク２２４に保持されたローラ２５４を矢印Nと同一の方向、つまり、クランク部２１０から離れる方向に移動することになる。このようにローラ２５４が移動すると、バネ板２５６が上方に向かって屈曲し、クランク部２１０を回転させる。そうすると、アーチ部材２０６はポスト部材２０４から離れる方向に回転運動し、図２３〜２７に示すようなリング開放配置に機構２００が移動することになる。
【００３８】
また、レバー２１８は、図１８〜２２に示されているような位置から、下方に、すなわち図１８（ａ）の矢印Ｒにより示されている方向に向けて、基材２０２に対して回転することもできる。このように回転すると、レバー２１８によってリンク２２２が引き寄せられ、次いで、スタッド２４６（基材２０２と軸Ｍ−Ｍとの間にある）が引き寄せられる。これにより、リンク２２４は、軸Ｍ−Ｍを中心にして１８（ａ）の矢印Ｎの方向に回転する。また、このことにより、ローラ２５４がクランク部２１０から離れる方向に向かって回転し、機構２００がリング開放配置を取ることになる。レバー２１８に下方への押す力が解除されると、バネ２３２は、レバー２１８を僅かに上方に回転させ、図２３〜２７に示されているような位置を取らせる。この配置では、図から明らかなように、リベット２４４は、スロット２４２のうちリンク２２４に近い端部に接近または隣接することになる。
【００３９】
一方、リングを開放するためにレバー２１８を下方に回転させた後、レバー２１８を図２８〜３２に示すような位置になるよう下方に回転させると、リンク２２０（図３４参照）はリベット２４４を引き寄せることになる。これにより、リンク２２４は、図１８（ａ）に示す矢印Ｒの方向に回転し、ローラ２５４を図１８に示す位置に戻し、リングを閉じて、機構に２００をリング閉鎖配置に移動させる。図２９〜３１から明らかなように、この配置状態におかれているとき、リンク２２２のフック部２５２は、スタッド２４６から離脱している。つまり、リンク２２４から離脱している。さらに、この配置状態におかれているとき、リンク２２２は、レバー２１８の停止部２３８によって、下方に回転できないようになっている。
【００４０】
レバー２１８に作用する下方向の力が解除されると、レバー２１８は、バネ２３２の付勢力により図１８に示すような位置に戻る。これにより、図１８に示すように、再びリンク２２２がスタッド２４６に着脱可能に係合する。
【００４１】
また、このようなレバーアーチ型ファイル機構２００を、たとえばリベットを介して、基板（たとえば厚紙カバー）に固定することにより、用紙保持装置（たとえばレバーアーチ型ファイル）を形成することも可能である。
【００４２】
図３５〜３８には、安定なリング閉鎖配置に置かれた状態にある、本発明の第３実施形態にかかるレバーアーチ型ファイル機構が示され、その全体が符号３００により表されている。機構３００は、図１８〜３４に示されているレバーアーチ型ファイル機構２００と構造が類似している。この機構３００と機構２００との間の主要な差は、機構３００のレバー組立体３１６のレバー３１８にある。
【００４３】
図３７及び３８においてより分かり易く示されているように、レバー３１８は直進下側部３２０を有している。機構３００が図３５及び３６に示されているようなリング閉鎖配置の状態に置かれているとき、直進下側部３２０は基材３０２の上面３０２ａに当接して横たわる。このような配置により（および上述した機構２００の構成により）、レバー３１８は、下方（すなわち図３６の矢印Ｒにより示されている方向）に基材３０２に対して回転すると、一対のポスト部材３０４と一対のアーチ部材３０６とから構成される一対のリングを開放することができる。さらに、矢印Ｒの方向にレバー３１８を下方に回転するとリング対を閉じることができる。一方、図３５及び３６に示すようなリング閉鎖配置の状態にある場合、レバー３１８の直進下側部３２０と基材３０２の上面３０２ａとは係合しているため、基材３０２に対してレバー３１８を上方（矢印Ｒと反対の方向）に回転させることはできない。
【００４４】
いうまでもなく、上記の記載は、本発明を実行しうる具体例を示しているだけであり、さまざまな変更および／または変形が発明の精神から逸脱することなく加えられてもよい。
【００４５】
また、いうまでもなく、本発明の特徴は明瞭さのために別個の実施形態において記載されているが、これらの特徴は、単一の実施形態において組み合わせて用いられてもよい。これとは異なり、簡潔さのために単一の実施形態に記載されている本発明のさまざまな特徴が、別々に提供されてもよいしまたは任意の適切なより小さな組み合わせで提供されてもよい。
【図面の簡単な説明】
【００４６】
【図１】リング閉鎖配置におかれた状態にある、本発明の第１実施形態にかかるレバーアーチ型ファイル機構を示す図であって、（ａ）は正面図であり、（ｂ）は平面図であり、（ｃ）は底面図であり、（ｄ）は左側面図であり、（ｅ）は右側面図である。
【図２】図１に示されたレバーアーチ型ファイル機構を正面上方から見た斜視図である。
【図３】図１に示されたレバーアーチ型ファイル機構を背面上方から見た斜視図である。
【図４】図１に示されたレバーアーチ型ファイル機構を背面下方から見た斜視図である。
【図５】図１に示されたレバーアーチ型ファイル機構を示す図であって、（ａ）は背面図であり、（ｂ）は（ａ）の左側面図である。
【図６】レバーの複数の位置における、図１に示すレバーアーチ型ファイル機構を示す正面図である。
【図７】リング閉鎖配置における、図１のレバーアーチ型ファイル機構を示す図であって、（ａ）は正面図であり、（ｂ）は平面図であり、（ｃ）は底面図であり、（ｄ）は左側面図であり、（ｅ）は右側面図である。
【図８】図７のレバーアーチ型ファイル機構を示す図であって、（ａ）は背面図であり、（ｂ）は（ａ）の左側面図である。
【図９】図７のレバーアーチ型ファイル機構を正面上方から見た斜視図である。
【図１０】図９のレバーアーチ型ファイル機構を背面上方から見た斜視図である。
【図１１】図７のレバーアーチ型ファイル機構を示す図であって、（ａ）は斜視図であり、（ｂ）は斜視図であり、（ｃ）は斜視図である。
【図１２】レバーが最低位置にあるときのリング閉鎖配置における、図１のレバーアーチ型ファイル機構を示す図であって、（ａ）は正面図であり、（ｂ）は平面図であり、（ｃ）は底面図であり、（ｄ）は左側面図であり、（ｅ）は右側面図である。
【図１３】図１２のレバーアーチ型ファイル機構を正面上方から見た斜視図である。
【図１４】図１２のレバーアーチ型ファイル機構を背面上方から見た斜視図である。
【図１５】図１２のレバーアーチ型ファイル機構を示す図であって、（ａ）は背面図であり、（ｂ）は（ａ）の左側面図である。
【図１６】図１のレバーアーチ型ファイル機構のレバー組立体を示す図であって、（ａ）は正面図であり、（ｂ）は平面図であり、（ｃ）は底面図であり、（ｄ）は左側面図であり、（ｅ）は右側面図である。
【図１７】図１６のレバー組立体の分解図である。
【図１８】リング閉鎖配置におかれた状態にある、本発明の第２実施形態にかかるレバーアーチ型ファイル機構を示す図であって、（ａ）は正面図であり、（ｂ）は平面図であり、（ｃ）は底面図であり、（ｄ）は左側面図であり、（ｅ）は右側面図である。
【図１９】図１８のレバーアーチ型ファイル機構を背面上方から見た斜視図である。
【図２０】図１８のレバーアーチ型ファイル機構を背面下方から見た斜視図である。
【図２１】図１８のレバーアーチ型ファイル機構を示す図であって、（ａ）は背面図であり、（ｂ）は（ａ）の左側面図である。
【図２２】図１８のレバーアーチ型ファイル機構の斜視図である。
【図２３】リング閉鎖配置におかれた状態にある、図１８のレバーアーチ型ファイル機構を示す図であって、（ａ）は正面図であり、（ｂ）は平面図であり、（ｃ）は底面図であり、（ｄ）は左側面図であり、（ｅ）は右側面図である。
【図２４】図２３のレバーアーチ型ファイル機構を示す図であって、（ａ）は背面図であり、（ｂ）は（ａ）の左側面図である。
【図２５】図２３のレバーアーチ型ファイル機構の背面斜視図である。
【図２６】図２５のレバーアーチ型ファイル機構の斜視図である。
【図２７】図２５のレバーアーチ型ファイル機構を背面下方から見た斜視図である。
【図２８】レバーが最低位置にあるリング閉鎖配置におかれた状態にある、図１８のレバーアーチ型ファイル機構を背面上方から見た斜視図である。
【図２９】図２８のレバーアーチ型ファイル機構を背面下方から見た斜視図である。
【図３０】図２８のレバーアーチ型ファイル機構の斜視図である。
【図３１】図２８のレバーアーチ型ファイル機構を示す図であって、（ａ）は背面図であり、（ｂ）は（ａ）の左側面図である。
【図３２】図３１のレバーアーチ型ファイル機構を示す図であって、（ａ）は背面図であり、（ｂ）は（ａ）の左側面図である。
【図３３】図１８のレバーアーチ型ファイル機構のレバー組立体を示す図であって、（ａ）は正面図であり、（ｂ）は左側面図であり、（ｃ）は正面図であり、（ｄ）は背面図である。
【図３４】図３３のレバー組立体の分解図である。
【図３５】リング閉鎖配置におかれた状態にある、本発明の第３実施形態にかかるレバーアーチ型ファイル機構を示す図であって、（ａ）は正面図であり、（ｂ）は平面図であり、（ｃ）は左側面図であり、（ｄ）は斜視図である。
【図３６】図３５のレバーアーチ型ファイル機構の拡大斜視図である。
【図３７】図３５のレバーアーチ型ファイル機構のレバー組立体の分解斜視図である。
【図３８】図３７のレバー組立体を示した図であって、（ａ）は平面図であり、（ｂ）は底面図であり、（ｃ）は左側面図であり、（ｄ）は斜視図である。
【図１】
2009040030.tif 000003
【図２】
2009040030.tif 000004
【図３】
2009040030.tif 000005
【図４】
2009040030.tif 000006
【図５】
2009040030.tif 000007
【図６】
2009040030.tif 000008
【図７】
2009040030.tif 000009
【図８】
2009040030.tif 000010
【図９】
2009040030.tif 000011
【図１０】
2009040030.tif 000012
【図１１】
2009040030.tif 000013
【図１２】
2009040030.tif 000014
【図１３】
2009040030.tif 000015
【図１４】
2009040030.tif 000016
【図１５】
2009040030.tif 000017
【図１６】
2009040030.tif 000018
【図１７】
2009040030.tif 000019
【図１８】
2009040030.tif 000020
【図１９】
2009040030.tif 000021
【図２０】
2009040030.tif 000022
【図２１】
2009040030.tif 000023
【図２２】
2009040030.tif 000024
【図２３】
2009040030.tif 000025
【図２４】
2009040030.tif 000026
【図２５】
2009040030.tif 000027
【図２６】
2009040030.tif 000028
【図２７】
2009040030.tif 000029
【図２８】
2009040030.tif 000030
【図２９】
2009040030.tif 000031
【図３０】
2009040030.tif 000032
【図３１】
2009040030.tif 000033
【図３２】
2009040030.tif 000034
【図３３】
2009040030.tif 000035
【図３４】
2009040030.tif 000036
【図３５】
2009040030.tif 000037
【図３６】
2009040030.tif 000038
【図３７】
2009040030.tif 000039
【図３８】
2009040030.tif 000040